(57)【要約】      （修正有）【課題】解錠操作にプッシュとスライドという２つの動作を要求すると共に外部からの衝撃で開蓋し荷物が飛び出ることを防止することが可能な収納ケースを提供する。【解決手段】互いに開閉可能に設けられた蓋部１２と荷物や工具等を収納する収納部１１とからなるケース本体１０と、ケースを持ち運ぶための把手部２０と、開閉装置の解錠・施錠に対応して蓋部と収納部とを開閉するための開閉操作部３０ａ，３０ｂと、を備えたケースであって、開閉操作部が、把手部の両側フレーム面に、把手部より突出しない厚さに形成して配設され、蓋部と収納部とを開く際には、開閉操作部の把手部側端部に設けられるプッシュボタン３１ａ，３１ｂをケース本体側方向にプッシュし、かつ開閉操作部を外側方向にスライドさせて解錠し、蓋部と収納部とを閉じる際には、開閉操作部を把手部側方向にスライドさせて施錠するように構成される。【選択図】図１
0003192182.tif 000002
【実用新案登録請求の範囲】
【請求項１】
互いに開閉可能に設けられた蓋部と荷物や工具等を収納する収納部とからなるケース本体と、ケースを持ち運ぶための把手部と、開閉装置の解錠・施錠に対応して蓋部と収納部とを開閉するための開閉操作部と、を備えたケースであって、
開閉操作部が、把手部の両側フレーム面に、把手部より突出しない厚さに形成して配設され、蓋部と収納部とを開く際には、開閉操作部の把手部側端部に設けられるプッシュボタンをケース本体側方向にプッシュし、かつ開閉操作部を外側方向にスライドさせて解錠し、蓋部と収納部とを閉じる際には、開閉操作部を把手部方向にスライドさせて施錠するように構成される、ことを特徴とする収納ケース。
【請求項２】
前記プッシュボタンが施錠時に弾性体により元の状態に復帰するように構成される、ことを特徴とする請求項１に記載の収納ケース。
【請求項３】
前記収納ケースがキャリーバッグ、アタッシュケースまたは工具ケースのいずれかであることを特徴とする請求項１又は２のいずれかに記載の収納ケース。
【請求項４】
前記開閉操作部が外側方向にスライドされ解錠状態にあるとき、開閉操作部がスライドしたフレーム表面部位に解錠状態を示す「ＯＰＥＮ」、「オープン」又は「開」のいずれかの文字が表示される、ことを特徴とする請求項１〜３のいずれかに記載の収納ケース。
【考案の詳細な説明】
【技術分野】
【０００１】
本考案は、各種荷物の運搬に使用されるキャリーバッグ、アタッシュケース、工具ケース等の収納ケースに関し、簡易な構造により容易に蓋が開かないように構成された開閉操作部を備えた収納ケースに関する。
【０００２】
本考案は、開蓋時に複数の操作を必要とすることにより簡単に開蓋されるのを防止し、さらに開閉操作部に物が直接当たらない構造にすることにより収納ケースへの物の積み重ねや使用時の柱、壁等へのぶつかり等による外的衝撃によって自然に開蓋して内容物が飛び出してしまうアクシデント及び開閉操作部自体の破損を防止できる開閉操作部を備えた収納ケースに関するものである。
【背景技術】
【０００３】
従来、収納ケースの開閉装置として、開閉操作部がプッシュボタン方式で、プッシュボタンを押すことにより係止機構が駆動し開閉するもの、開閉操作部がスライドレバー方式でレバーをスライドさせることにより係止機構が駆動し開閉するもの、開閉操作部が仰伏動レバー方式でレバーを仰伏することにより係止機構が駆動し開閉するものがある。しかし、プッシュボタンやスライドレバー、仰伏動レバーに物が当たった衝撃や、大きな揺れなどの衝撃が加わることにより、意図しないところで勝手に蓋が開いてしまい、ユーザーの所持品が紛失・破損する場合がある。そこで一般に、開閉操作部に加えて、ダイヤルロック又はシリンダーロック等の施錠ロック装置を設置し、施錠機能を高めようとした商品が販売されている。
【０００４】
しかし、通勤等、旅行以外の場面では開閉の度にダイヤルロックやシリンダーロックで施錠するのは煩雑であることから、開閉操作部のみで容易に蓋が開かないような強靭性が求められている。また、海外旅行の場面においても、２００１年のアメリカ同時多発テロ後、特に米国内の空港においては、職員によってキャリーバッグやスーツケースを開けての預け入れ荷物の検査が行われるため、バッグやスーツケースの鍵を開けたまま航空会社に預け入れることが要請されることもあり、施錠ロック装置がなくとも外的衝撃によって容易に蓋が開かないような開閉操作部を備えた収納ケースが求められている。さらに、操作性を高めるため、施錠状態が一見して確認できればなお望ましい。
【０００５】
特許文献１は、かばん開口部の自然離れがし難いように、旅行かばんの側面に二重に鈎止めする側面錠を提案している。しかし、側面錠の施錠は煩雑であり、かばん使用の際に側面錠は錠自体に物が当たることを防ぐことができず、側面錠自体が衝撃を受けることによって錠の破損や蓋の自然離れが起こり得るという問題点を有している。
【先行技術文献】
【特許文献】
【０００６】
【特許文献１】実用新案登録第３００８９６１号公報
【考案の概要】
【考案が解決しようとする課題】
【０００７】
本考案は、解錠操作に際してプッシュとスライドという２つの動作を要求することで収納ケースが自然に開蓋してしまうことを防ぎ、さらに、開閉操作部を把手部より突出しない厚さに形成して開閉装置が直接強い衝撃を受けない構造にすることにより外部からの衝撃で収納ケースが開蓋し荷物が飛び出ることを防止することが可能な収納ケースを提供することを課題とする。
【課題を解決するための手段】
【０００８】
請求項１に記載の考案は、互いに開閉可能に設けられた蓋部１２と荷物や工具等を収納する収納部１１とからなるケース本体１０と、ケースを持ち運ぶための把手部２０と、開閉装置の解錠・施錠に対応して蓋部と収納部とを開閉するための開閉操作部３０と、を備えたケースであって、開閉操作部３０ａ、３０ｂが、把手部２０の両側フレーム面に、把手部より突出しない厚さに形成して配設され、蓋部と収納部とを開く際には、開閉操作部の把手部側端部に設けられるプッシュボタン３１ａ、３１ｂをケース本体側方向にプッシュし、かつ開閉操作部を外側方向にスライドさせて解錠し、蓋部と収納部とを閉じる際には、開閉操作部を把手部側方向にスライドさせて施錠するように構成される収納ケースであることを特徴とする。なお、本考案においては、開閉操作部は、伸縮ハンドル部５０を備えたキャリーバッグにおいてはハンドル部側ケース本体に設けられる把手部の両側にも配設することができる。
【０００９】
請求項２に記載の考案は、プッシュボタン３１ａ、３１ｂが施錠時に弾性体により元の状態に復帰するように構成されることを特徴とする。プッシュボタンは蓋部と収納部とを開く際には下方向にプッシュ（押下）され、プッシュされた状態で開閉操作部が外側方向にスライドされる。そして開閉操作部は蓋部と収納部とを閉じる際に把手部方向にスライドされたときにプッシュボタンは弾性体により元の水平状態に戻されるように構成される。弾性体としてはコイルばね、板ばね、ゴム系弾性体等を使用することができる。
【００１０】
請求項３に記載の考案は、収納ケースがキャリーバッグ、アタッシュケースまたは工具ケースのいずれかであることを特徴とする。請求項４に記載の考案は、開閉操作部３０ａ、３０ｂが外側方向にスライドされ解錠状態にあるとき、開閉操作部がスライドしたフレーム４０表面部位に解錠状態を示す「ＯＰＥＮ（ｏｐｅｎ）」、「オープン」又は「開」のいずれかの文字が表示されることを特徴とする。
【考案の効果】
【００１１】
本考案においては、開閉操作部が、把手部２０の取付け部２１の高さ及び把手部を倒した状態の高さＨ１より突出しない厚さ（高さ）Ｈ２に形成されている。これにより開閉操作部上面は把手部の取付け部上面より低い位置にあることになる。そのため、収納ケースの移動時にケースが壁や柱等をはじめ他のラゲッジ類などの物に衝突したとしても、必然的に厚さのある（高い位置にある）把手部に物が衝突することになり、開閉操作部自体に物が直接当たる確率が低くなり外的衝撃により解錠され難く収納ケースが開き難くなると共に、開閉操作部自体の破損を防ぐことができる。
【００１２】
本考案は、解錠時には、開閉操作部のプッシュボタン３１を押し、さらにそのまま外側へスライドさせるという２つの動作が要求される構成となっている。そのため、運送機関や交通機関の荷扱いの荒さや、移動時における混雑時の衝突、大きな揺れや衝撃等の外的衝撃による収納ケースの開蓋を防ぎ、意図しないところで収納ケースが開蓋して内容物が飛び出してしまうアクシデントを防止できる。上記したように開閉操作部上面が把手部の取付け部上面より低い位置に配設されていることと相まって、外的衝撃による解錠され収納ケースが開口し荷物が飛び出ることを高い確率で防止することができる。
【００１３】
本考案では、開閉操作部を把手部の両側に２個備えることにより施錠の確実性をより高めている。さらに、解錠状態を示す「ＯＰＥＮ」等の文字が表示されるのでケースが開蓋状態にあることが一見して確認でき、内容物の飛び出しを防止でき操作ミスを防ぐという機能も有している。なお、施錠時にはスライド操作という１つの動作のみで足りるので操作性が良く扱いやすいという利点がある。
【図面の簡単な説明】
【００１４】
【図１】本考案に係る収納ケースをキャリーバッグとした場合のケースの主要部の構成を示した斜視図である。
【図２】本考案に係る収納ケースの把手部及び開閉操作部を説明するための部分拡大図である。
【図３】本考案に係る収納ケースの施錠時における把手部、開閉操作部及び施錠機構を説明するための概略断面図である。
【図４】本考案に係る収納ケースの解錠時における収納ケースの把手部、開閉操作部及び施錠機構を説明するための概略断面図である。
【図５】本考案に係る収納ケースの解錠状態を示す文字表示の一例を示す図である。
【考案を実施するための形態】
【００１５】
以下、添付図を参照しつつ本考案に係る収納ケースの実施の形態について詳細に説明する。図１は本考案に係る収納ケースをキャリーバッグとした場合の斜視図であり、図２は把手部及び開閉操作部を説明するための部分拡大図である。本考案に係る収納ケースは、図１、２に示すように、互いに開閉可能に設けられた蓋部１２と荷物や工具等を収納する収納部１１とからなるケース本体１０と、ケースを持ち運ぶための把手部２０と、開閉装置の解錠・施錠に対応して蓋部と収納部とを開閉するための開閉操作部３０とを備えている。開閉操作部３０ａ、３０ｂは、把手部２０の両側のフレーム４０に２個配置され、把手部２０の取付け部２１より突出しない厚さ（高さ）に形成して配設されている。開閉操作部３０ａ、３０ｂの把手部側端部にはプッシュボタン３１ａ、３１ｂが設けられている。
【００１６】
ここでは収納ケースを伸縮可能なハンドル部５０を備えたキャリーバッグとしているが、本考案に係る収納ケースはキャリーバッグに限られずアタッシュケースや工具ケース等とすることができる。また、ここでは開閉操作部を把手部の両側に２個配置しているが、伸縮可能なハンドル部を備えたキャリーバッグにおける伸縮ハンドル部側ケース本体に設けられる把手部の両側にも配設することもでき、さらに、把手部の持ち手部分の長さを広げることにより、把手部の内側に配設することも可能である。
【００１７】
図３は施錠時における収納ケースの把手部、開閉操作部及び施錠機構を説明するための概略断面図であり、図４は解錠時における収納ケースの把手部、開閉操作部及び施錠機構を説明するための概略断面図である。図３、図４に示すように、開閉操作部３０ａ、３０ｂの厚さ（高さ）Ｈ２は、把手部２０の取付け部２１の高さ及び把手部を倒した状態の高さＨ１より外部に突出しないように薄く（低く）形成されている。
【００１８】
このような構成により、開閉操作部上面は把手部の取付け部上面より低い位置にあることになる。そのため衝突等の外部からの衝撃は先ず把手部が受けることになり、開閉操作部には物が直接当たらず、開閉操作部への衝撃による意図せぬ開蓋や、開閉操作部自体の破損を防止できる。さらに、後述するように解錠に当たってはプッシュ及びスライドの２つの動作が要求されるために外部からの衝撃を受けても開蓋されることは殆どあり得ない。
【００１９】
開閉操作部３０ａ、３０ｂは把手部側端部にプッシュボタン３１ａ、３１ｂを備えており、プッシュボタンが本体部方向（下方向）に押し続けられている間のみ開閉操作部がスライド動作可能な状態となり、この状態でプッシュボタンを外側方向（横方向）に押し出すことにより開閉操作部をスライドさせる構造となっている。開閉操作部３０ａ、３０ｂを外側方向にスライドさせると、図４に示すように係止機構６０ａ、６０ｂに係止されていた突起体６１ａ、６１ｂがケース本体フレーム４０方向に引き込まれ、前記突起体と係止機構とが脱係合されて収納ケースが解錠される。
【００２０】
プッシュボタン３１ａ、３１ｂをケース本体方向（下方向）に押しながら、さらにプッシュボタンを配設する開閉操作部３０ａ、３１ｂを、把手部と反対方向（外側）にスライドさせることによって、初めて係止機構に係止されていた突起体が本体フレーム方向に引き込まれ、前記突起体と係止機構とが脱係合されて解錠されることになる。このように解錠に当たっては開閉操作部のプッシュ及びスライドの２つの動作が要求される。また、前記開閉操作部は、把手部の両側に少なくとも２個設けてあり、すべての開閉操作部をプッシュ及びスライドして突起体と係止機構を脱係合させなければ収納ケースを開けることはできない。このように本収納ケースは外部の衝撃を受けても容易に開き難いものとなっている。
【００２１】
一方、施錠する際は、図３に示すように、開閉操作部３０ａ、３０ｂを内側（把手部側）方向にスライドさせるだけで、突起体６１ａ、６１ｂが係止機構６０ａ、６０ｂに貫出し、突起体と係止機構とが係合されることにより収納ケースが施錠される。施錠の際は、プッシュボタンを触らずとも、開閉操作部を内側（把手部側）方向にスライドさせるのみの操作を行えばよい。なお、蓋部と収納部とを開く際に下方向にプッシュ（押下）されていたプッシュボタン３１ａ、３１ｂは、把手部方向にスライドされたときにバネにより元の状態に復帰する。
このように、施錠する際には、開閉操作部を把手部側にスライドさせるという一つの動作のみで、突起部が係止機構に貫出し係止機構と係合されることにより収納ケースを簡単な操作で閉めることができる構造となっている。
【００２２】
なお、本考案においては、図２に示すように、開閉装置としてさらに施錠性を高めるため、シリンダー錠等の施錠ロック装置３２を併設することができる。施錠ロック装置としては、シリンダー錠に限定されないが、アメリカ旅行時に、施錠したまま航空会社に荷物を預けることが可能な、アメリカ運輸保安局（Ｔｒａｎｓｐｏｒｔａｔｉｏｎ  Ｓｅｃｕｒｉｔｙ  Ａｄｍｉｎｉｓｔｒａｔｉｏｎ）によって認定されたＴＳＡロックを用いることが望ましい。
【００２３】
図５は解錠時における解錠状態を示す文字表示の一例を示した図である。図４、図５に示されるように開閉操作部３０が外側方向にスライドされ解錠状態にあるとき、開閉操作部がスライドしたフレーム４０表面部位に解錠状態を示す「ＯＰＥＮ（ｏｐｅｎ）」、「オープン」又は「開」のような文字が表示される。文字の表示部７０は解錠時に開閉操作部が外側にスライドされることにより現れる操作部下のフレーム部分とすることが好適である。このためケースが開蓋状態にあることが一見して確認でき内容物の飛び出しを防止できる。「ＯＰＥＮ」等の文字の表示は視認が容易となるように蛍光塗料等を用いるのが望ましい。
【産業上の利用可能性】
【００２４】
本考案に係る収納ケースは、開閉操作部上面が把手部の取付け部上面より低い位置に配設されており、解錠時には、開閉操作部のプッシュボタンを押し、かつ外側へスライドさせるという２つの動作が要求される構成となっているので、配送時の荷扱いや移動時における柱等との衝突等の外的衝撃による収納ケースの開蓋を防ぐことができ、荷物が飛び出ることを高い確率で防止することができる。そのため本考案はキャリーバッグ、アタッシュケース、工具ケース等の幅広い収納ケースに適用できる。
【符号の説明】
【００２５】
１０      ケース本体
１１      収納部
１２      蓋部
２０      把手部
２１      把手部の取付け部
３０、３０ａ、３０ｂ      開閉操作部
３１、３１ａ、３１ｂ      プッシュボタン
３２      施錠ロック装置
４０      フレーム
５０      伸縮ハンドル部
６０ａ、６０ｂ    係止機構
６１ａ、６１ｂ    突起体
７０、７０ａ、７０ｂ    文字表示部
Ｈ１      把手部高さ
Ｈ２      開閉操作部高さ
【図１】
0003192182.tif 000003
【図２】
0003192182.tif 000004
【図３】
0003192182.tif 000005
【図４】
0003192182.tif 000006
【図５】
0003192182.tif 000007